(57)【要約】【課題】タッチパネルでの複雑な入力プロセスや操作位置以外の情報を利用して入力情報を特定する入力装置において、誤入力が発生するのを抑制する。【解決手段】タッチパネル４の操作位置及び操作状態の変化を操作情報として取り込む操作情報取得部２０、操作情報に基づき入力情報を特定するための識別情報が記憶されたＲＯＭ１４、及び、操作情報と識別情報とに基づき入力情報を特定するＣＰＵ１０を備えた入力装置において、ＣＰＵ１０は、特定した入力情報が修正されると、修正後の入力情報を特定するための識別情報をＲＯＭ１４から取得して、その識別情報を、操作情報にて修正後の入力情報を特定できるように補正し、補正後の識別情報と補正前の識別情報との差分に基づき、ＲＯＭ１４内の識別情報を更新する。【選択図】図１
2017156851.tif 000002
【特許請求の範囲】
【請求項１】
タッチパネル（４）と、
前記タッチパネルの操作位置及び操作状態の変化を操作情報として取り込む操作情報取得部（２０）と、
前記操作情報に基づき前記タッチパネルからの入力情報を特定するための識別情報が予め記憶された識別情報記憶部（１４）と、
前記操作情報と前記識別情報とに基づき前記入力情報を特定する入力情報特定部（１０、Ｓ１１０−Ｓ１５０）と、
前記入力情報特定部にて特定された入力情報が修正されたことを検出する修正検出部（１０，Ｓ２１０、Ｓ２２０）と、
前記修正検出部にて前記入力情報の修正が検出されると、該修正後の入力情報を特定するための識別情報を前記識別情報記憶部から取得し、該取得した識別情報を、修正前の入力情報を特定するのに使用された前記操作情報にて修正後の入力情報を特定できるように補正する識別情報補正部（１０、Ｓ２４０−Ｓ２７０）と、
前記識別情報補正部にて補正された識別情報と補正前の識別情報との差分に基づき、前記識別情報記憶部に記憶された前記識別情報を更新する識別情報更新部（１０、Ｓ２８０−Ｓ３００）と、
を備えた、入力装置。
【請求項２】
前記識別情報は、前記タッチパネルの操作位置及び操作状態の変化を表す状態遷移図にて構成されており、前記識別情報記憶部には、前記入力情報特定部による特定対象となる入力情報毎に、他の入力情報と重複することのないように遷移条件が設定された状態遷移図が記憶されている、請求項１に記載の入力装置。
【請求項３】
前記識別情報更新部は、更新後の識別情報の状態遷移図が他の識別情報の状態遷移図と重複することのないよう、前記識別情報記憶部に記憶された識別情報を更新する、請求項２に記載の入力装置。
【請求項４】
前記識別情報更新部は、前記識別情報記憶部に前記識別情報として前記入力情報毎に記憶された複数の状態遷移図の内、前記識別情報補正部にて補正された識別情報に対応する状態遷移図の遷移条件を、前記差分に基づき更新し、該更新後の状態遷移図とは異なる他の状態遷移図が更新後の状態遷移図と重複することのないよう、他の状態遷移図の遷移条件を更新する、請求項３に記載の入力装置。
【請求項５】
前記識別情報更新部は、前記識別情報補正部にて補正された識別情報と補正前の識別情報との差分が予め設定された閾値を越えているときには、前記識別情報の更新を中止する、請求項１〜請求項４の何れか１項に記載の入力装置。
【請求項６】
前記識別情報更新部は、前記識別情報補正部にて補正された識別情報と補正前の識別情報との差分に、値１よりも小さい所定の学習率を乗じた学習値を用いて、前記識別情報記憶部に記憶された前記識別情報を更新する、請求項１〜請求項５の何れか１項に記載の入力装置。
【発明の詳細な説明】
【技術分野】
【０００１】
本開示は、タッチパネルを介して情報を入力するための入力装置に関する。
【背景技術】
【０００２】
従来、使用者によるタッチパネルの操作位置を検出し、操作位置が、予めパネル面上に設定された複数の入力領域のいずれに属するかを判断することで、タッチパネルからの入力情報を特定するように構成された入力装置が知られている。
【０００３】
また、この種の入力装置においては、入力情報の訂正操作（詳しくは、誤入力の消去と正入力）がなされると、誤入力時の操作位置で訂正後の入力情報を特定できるように、入力領域を修正することが提案されている（例えば、特許文献１参照）。
【０００４】
この提案の入力装置によれば、入力情報が訂正される度に入力領域を修正することから、使用者固有の癖等によって生じる操作位置のずれを学習して、誤入力が発生し難い入力装置を実現できる。
【先行技術文献】
【特許文献】
【０００５】
【特許文献１】特開２００３−１９６０３１号公報
【発明の概要】
【発明が解決しようとする課題】
【０００６】
しかしながら、上記提案の入力装置は、タッチパネルのパネル面上での入力領域や操作位置をＸＹ座標で規定し、その座標軸上で入力情報の特定に利用する入力領域を変化させるものである。
【０００７】
このため、上記提案の入力装置では、例えば、フリック入力やカーブフリック入力のように、タッチパネルの操作位置だけでなく、複雑な入力プロセスや操作位置以外の情報を利用する入力装置において、誤入力を低減することはできなかった。
【０００８】
本開示の一局面は、タッチパネルでの複雑な入力プロセスや操作位置以外の情報（換言すれば、操作位置や操作状態の変化）を利用して入力情報を特定する入力装置において、誤入力が発生するのを抑制することを目的とする。
【課題を解決するための手段】
【０００９】
本開示の一局面の入力装置は、タッチパネル（４）、操作情報取得部（２０）、識別情報記憶部（１４）、及び、入力情報特定部（１０、Ｓ１１０−Ｓ１５０）を備える。
操作情報取得部は、タッチパネルの操作位置及び操作状態の変化を操作情報として取り込むためのものであり、識別情報記憶部には、操作情報取得部にて取得された操作情報に基づきタッチパネルからの入力情報を特定するための識別情報が予め記憶されている。
【００１０】
そして、入力情報特定部が、操作情報取得部にて取得された操作情報と、識別情報記憶部に記憶された識別情報とに基づき、タッチパネルからの入力情報を特定する。
このため、本開示の入力装置によれば、使用者は、タッチパネルを操作し、その操作位置や操作状態を変化させることで、所望の情報を入力することができる。
【００１１】
また、本開示の入力装置には、入力情報特定部にて特定された入力情報が修正されたことを検出する修正検出部（１０，Ｓ２１０、Ｓ２２０）と、識別情報補正部（１０、Ｓ２４０−Ｓ２７０）及び識別情報更新部（１０、Ｓ２８０−Ｓ３００）が備えられている。
【００１２】
識別情報補正部は、修正検出部にて入力情報の修正が検出されると、修正後の入力情報を特定するための識別情報を識別情報記憶部から取得し、その取得した識別情報を、修正前の入力情報を特定するのに使用された操作情報にて修正後の入力情報を特定できるように補正する。
【００１３】
また、識別情報補正部にて、修正後の入力情報を特定するための識別情報が補正されると、識別情報更新部は、その補正された識別情報と補正前の識別情報との差分に基づき、識別情報記憶部に記憶された識別情報を更新する。
【００１４】
従って、この入力装置によれば、タッチパネルの操作位置だけでなく、複雑な入力プロセスや操作位置以外の情報を利用して情報を入力する場合であっても、入力情報が修正された際に、その修正後の入力情報を特定できるように識別情報が更新されることになる。
【００１５】
よって、本開示の入力装置によれば、複雑な入力プロセスや操作位置以外の情報（換言すれば、操作位置や操作状態の変化）を利用する入力方式であっても、誤入力の発生を抑制して、装置の使い勝手を向上することができる。
【００１６】
なお、この欄及び特許請求の範囲に記載した括弧内の符号は、一つの態様として後述する実施形態に記載の具体的手段との対応関係を示すものであって、本発明の技術的範囲を限定するものではない。
【図面の簡単な説明】
【００１７】
【図１】実施形態の入力装置全体の構成を表すブロック図である。
【図２】文字情報を特定するのに用いられる状態遷移図の一例を表す説明図である。
【図３】文字情報入力時の操作の一例を表す説明図である。
【図４】ＣＰＵにて実行される入力処理を表すフローチャートである。
【図５】ＣＰＵにて実行される学習処理を表すフローチャートである。
【図６】文字訂正に伴い実施される状態遷移図の更新動作の一例を表す説明図である。
【発明を実施するための形態】
【００１８】
以下に本発明の実施形態を図面と共に説明する。
図１に示すように、本実施形態の入力装置２は、タッチパネル４を備える。
タッチパネル４は、液晶ディスプレイ等にて構成される表示パネル６と、表示パネル６の表示面に被覆される透明でシート状の操作パネル８とを備えた周知のものであり、これら各部には、それぞれ、表示制御部１８及び操作情報取得部２０が接続されている。
【００１９】
なお、操作パネル８は、パネル面上での操作（押下）位置や圧力、これらの変化（方向、速度、加速度、圧力変化等）を検出できればよく、例えば、静電容量方式のものを利用できる。
【００２０】
また、入力装置２には、ＣＰＵ１０、ＲＡＭ１２、ＲＯＭ１４、及びこれら各部を接続するバス１６を中心とするマイクロコンピュータが備えられている。そして、バス１６には、表示制御部１８及び操作情報取得部２０や、外部機器に接続される入出力部２２も接続されている。
【００２１】
表示制御部１８は、ＣＰＵ１０からの指令に従い、入出力部２２を介して外部機器から入力される画像や操作用の画像（操作画像）を表示パネル６に表示させるためのものである。また、操作情報取得部２０は、操作パネル８から、使用者によるパネル面上での操作位置や操作状態を取り込むためのものである。
【００２２】
そしてＣＰＵ１０は、操作情報取得部２０を介して取り込んだ操作位置や操作状態、及びこれらの変化から、使用者がタッチパネル４を介して入力してきた入力情報を特定し、その特定した入力情報を、入出力部２２から外部機器へ出力する。
【００２３】
このため、ＲＯＭ１４には、ＣＰＵ１０が表示パネル６へ画像を表示したり操作パネル８からの入力情報を特定したりするのに必要な制御プログラム３２、操作画像表示情報３４、及び、識別情報３６が記憶されている。
【００２４】
なお、ＲＯＭ１４は、これらの情報の書き換え若しくは更新を実施できるように、フラッシュＲＯＭ等のデータを書き換え可能な不揮発性メモリにて構成されている。
ＲＯＭ１４に記憶された識別情報３６は、操作情報取得部２０を介して取得された操作パネル８の操作位置や操作状態の変化から、使用者が入力してきた情報を特定するためのものであり、図２に示すような状態遷移図を表す情報にて構成されている。
【００２５】
図２に示す状態遷移図は、フリック入力にて所望の文字情報を入力するのに使用される状態遷移図を表している。
つまり、フリック入力では、例えば、文字入力時に表示パネル６に表示された複数の文字群（例えば５０音の行）の中から所望の文字群を選択して表示領域を操作すると、図３に示すように操作位置の周りに選択可能な文字（図では「な行」の文字）が表示される。
【００２６】
そして、その状態で操作位置を変化させて操作を止めるか、操作位置を変化させずに操作を止めることで、選択した文字群の中の任意の文字を選択し、入力することができる。
このため、図２に示す状態遷移図は、使用者が最初に指を置いた位置（操作位置）と、その操作位置からの指の移動速度とを遷移条件として、文字情報を特定できるように構成されている。
【００２７】
そして、ＲＯＭ１４には、こうした状態遷移図を表す情報（詳しくは遷移条件）が、特定対象となる文字情報毎に記憶されている。
また、文字情報毎の状態遷移図は、遷移条件が重なることのない決定性の状態遷移図として構成されている。
【００２８】
例えば、図３に矢印で示すように、操作パネル８で「な行」の選択領域（ｘ，ｙ座標系で座標（３０，３０）から（６０，６０）の領域）に指が置かれ、その後、使用者が指を左方向（−ｘ方向）に移動させて操作パネル８から指を離したとする。
【００２９】
この場合、文字情報「な」を特定するための遷移条件と、文字情報「の」を特定するための遷移条件とが重複していると、その重複領域で文字を特定することができなくなる。このため、図２に示すように、文字情報「な」と文字情報「の」の遷移条件は、ｙ方向の指の移動速度（ｙ速度）は重複するものの、ｘ方向の移動速度（ｘ速度）は重複しないように設定されている。
【００３０】
次に、本実施形態の入力装置２において、使用者がタッチパネル４から所望の文字情報をフリック入力する際にＣＰＵ１０にて実行される入力処理について、図４に示すフローチャートに沿って説明する。
【００３１】
図４に示すように、この入力処理では、まずＳ１１０（Ｓはステップを表す）にて、表示パネル６に文字入力用の操作画像が表示されている状態で、操作情報取得部２０から操作パネル８の操作状態を表す信号が入力されたか否かを判断する。
【００３２】
Ｓ１１０の処理は、使用者がタッチパネル４を入力操作したか否かを判断することで、タッチパネル４が入力操作されるのを待機するための処理である。そして、タッチパネル４が入力操作されると、Ｓ１２０に移行して、操作情報取得部２０から入力される操作パネル８の操作状態を操作情報としてＲＡＭ１２に記憶する。
【００３３】
本実施形態では、文字情報特定用の状態遷移図が、操作位置と操作速度とで規定されているため、Ｓ１２０では、操作パネル８が入力操作されている間、操作位置（ｘ、ｙ座標）と操作速度（ｘ速度、ｙ速度）を逐次記憶する。
【００３４】
次に、Ｓ１３０では、Ｓ１２０の処理によりＲＡＭ１２に記憶された操作情報とＲＯＭ１４に記憶された識別情報３６（状態遷移図）とを照合して、操作情報に対応した状態遷移図を探索するマッチング処理を行う。
【００３５】
そして、続くＳ１４０では、Ｓ１３０にて操作情報に対応した状態遷移図を探索できたか否かを判断することで、操作情報とマッチした文字情報があるか否かを判断し、操作情報とマッチした文字情報がなければ、そのまま当該入力処理を終了する。
【００３６】
一方、Ｓ１４０にて、操作情報とマッチした文字情報があると判断されると、Ｓ１５０に移行し、その文字情報を入力文字として表示制御部１８に出力することで、表示パネル６の所定の表示領域に入力文字を表示させ、当該入力処理を終了する。
【００３７】
このように入力処理では、使用者がタッチパネル４の表示画面を確認しつつフリック入力にて入力した文字情報を特定し、その結果を表示パネル６に表示させる。
ところで、使用者の癖等によって、操作位置や操作方向が入力したい文字情報の状態遷移図からずれると、表示パネル６には使用者が入力したい文字とは異なる文字が表示される。この場合、使用者は文字を誤入力したと判断して、表示文字を所望の文字に訂正する操作を行う。なお、この訂正操作については、特許文献１に記載されているように公知であるため、ここでは、詳細な説明は省略する。
【００３８】
また、例えば上記手順で順次文字が入力された場合、入力された文字列が正しいか否かを辞書データや過去の入力履歴を用いて判断し、文字列に誤りがあれば、誤入力された文字を自動訂正する技術も知られている（例えば、特開２０１１−２１５９３８号公報参照）。
【００３９】
そこで、本実施形態では、このような文字訂正が実施された際には、ＣＰＵ１０がその旨を検出して、誤入力時の操作情報で訂正後の正しい文字情報を特定できるように、識別情報３６（状態遷移図）を補正するようにされている。
【００４０】
つまり、ＣＰＵ１０は、上述した入力処理とは別に、図５に示す学習処理を実施することで、ＲＯＭ１４内の識別情報３６（状態遷移図）を、使用者がタッチパネル４を操作し易いように更新する。
【００４１】
図５に示すように、学習処理では、ＣＰＵ１０は、まずＳ２１０にて、入力処理で特定した文字情報が、使用者による訂正操作若しくは辞書データや入力履歴に基づく自動訂正によって訂正されたことを検出する誤入力検出処理を実行する。
【００４２】
次にＳ２２０では、Ｓ２１０の誤入力検出処理にて、文字情報の訂正（つまり誤入力）が検出されたか否かを判断し、誤入力が検出されていなければ、再度Ｓ２１０に移行することで、誤入力検出処理を継続する。
【００４３】
Ｓ２２０にて誤入力が検出されたと判断されると、Ｓ２３０に移行して、訂正された文字情報（換言すれば正入力の文字情報）の状態遷移図をＲＯＭ１４から読み出す。また、Ｓ２３０では、その読み出した状態遷移図と、訂正前の文字情報を特定したとき（つまり誤入力時）にＲＡＭ１２に記憶した操作情報とを照合する、マッチング判定処理を実施する。
【００４４】
そして、Ｓ２４０では、Ｓ２３０若しくは後述のＳ２７０でのマッチング判定処理により、正入力の文字情報を特定できたか否かを判定し、正入力の文字情報を特定できていないときには、Ｓ２５０に移行する。
【００４５】
Ｓ２５０では、誤入力時の操作情報で正入力の文字情報を特定できるように、Ｓ２３０にてＲＯＭ１４から読み出した状態遷移図の遷移条件を緩和することで、状態遷移図を補正する。
【００４６】
次にＳ２６０では、Ｓ２５０で状態遷移図の遷移条件を緩和した値、つまり、補正した状態遷移図と補正前の状態遷移図との遷移条件の差分、をＲＡＭ１２に記憶する。そして、Ｓ２７０にて、Ｓ２５０で補正した状態遷移図と誤入力時の操作情報とを照合するマッチング判定処理を実施し、Ｓ２４０に移行する。
【００４７】
このように、学習処理では、Ｓ２３０のマッチング判定処理にて誤入力時の操作情報と正入力の文字情報の状態遷移図とがマッチしていると判定されなかった場合には、その後、Ｓ２４０にて、遷移条件緩和後の状態遷移図で正入力の文字情報を特定できたと判断されるまで、Ｓ２４０〜Ｓ２７０の処理が実施される。
【００４８】
そして、Ｓ２５０では、正入力の文字情報を特定するのに用いられる状態遷移図の遷移条件が、誤入力時の操作情報にて正入力の文字情報を特定できるように緩和され、Ｓ２６０では、その緩和した値が記憶される。
【００４９】
例えば、図６（１）に例示するように、使用者が「の」を入力した際のｘ速度が、図２に示す遷移条件「-50dot/sec」よりも大きい「-30dot/sec」であり、入力処理で文字情報「な」が特定され、その後、文字情報が「な」から「の」に訂正されたものとする。
【００５０】
この場合、正入力の文字情報「の」を特定するための状態遷移図は、Ｓ２４０〜Ｓ２７０の処理によって、ｘ速度の遷移条件が「-50dot/sec」から「-30dot/sec」に補正され、緩和した値は、ｘ速度の遷移条件が「+20dot/sec」となり、他の遷移条件は「０」となる。
【００５１】
次に、Ｓ２４０にて、誤入力時の操作情報から正入力の文字情報を特定できたと判断されると、Ｓ２８０に移行して、正入力の文字情報の状態遷移図を緩和した値、つまり、補正前と補正後の各遷移条件の差分は、予め設定された閾値以下であるか否かを判断する。
【００５２】
そして、各遷移条件の差分の少なくとも一つが閾値を越えている場合には、使用者は文字入力を間違ったもの（換言すればエラー）と判断して、そのまま当該学習処理を終了することで、ＲＯＭ１４内の状態遷移図の更新を中止する。
【００５３】
一方、Ｓ２８０にて、各遷移条件の差分は、全て閾値以下であると判断された場合には、Ｓ２９０に移行し、ＲＯＭ１４に記憶されている正入力の文字情報に対応する状態遷移図を更新する。
【００５４】
なお、Ｓ２９０での状態遷移図の更新は、Ｓ２６０にて記憶した緩和した値に予め設定された学習率（１より小さい値、例えば０．１）を乗算した学習値を、対応する遷移条件に加算することにより実施される。
【００５５】
例えば、図６（１）に示すように、正入力の文字情報「の」の状態遷移図に対して緩和した値が、ｘ速度で「+20dot/sec」であった場合、更新用の学習値は、学習率を乗じることでｘ速度「+2dot/sec 」となる。
【００５６】
このため、図６（２）に示すように、ＲＯＭ１４に記憶された文字情報「の」の状態遷移図は、遷移条件の一つであるｘ速度が元の「ｘ速度≦-50dot/sec」から「ｘ速度≦-48dot/sec」に変更され、その変更後の状態遷移図がＲＯＭ１４に記憶される。
【００５７】
次に、Ｓ３００では、Ｓ２９０での状態遷移図の更新により、他の文字情報に対する状態遷移図の遷移条件が重複することのないよう、他の状態遷移図の遷移条件を更新する。
つまり、図６（２）に示したように、文字情報「の」の状態遷移図を更新した場合、更新後の状態遷移図の遷移条件「ｘ速度」が、文字情報「な」の状態遷移図の遷移条件「ｘ速度」と重複し、操作情報から文字情報を一意に特定することができなくなる。
【００５８】
このため、Ｓ３００では、文字情報「な」の遷移条件「ｘ速度」を、「ｘ速度の絶対値＜50dot/sec」から「ｘ速度の絶対値＜48dot/sec」に変更することで、操作情報から文字情報を特定できるようにする。
【００５９】
以上説明したように、本実施形態の入力装置２は、タッチパネル４を介して入力された文字情報が修正されると、修正された正入力の文字情報を特定するため識別情報３６（詳しくは状態遷移図）を、誤入力時の操作情報に近づけるための学習処理を実行する。
【００６０】
この学習処理では、正入力の文字情報を特定するための状態遷移図をＲＯＭ１４から読み出し、その状態遷移図の遷移条件を、誤入力時の操作情報に対応するように緩和し、その緩和した値に、１よりも小さい値である所定の学習率を乗じた学習値を求める。そして、その学習値にて、ＲＯＭ１４内の状態遷移図を更新する。
【００６１】
このため、ＲＯＭ１４内の識別情報３６は、使用者がタッチパネル４を介して文字入力を行い、入力文字が訂正される度に更新されることになり、使用者がタッチパネル４の操作で所望の文字を入力できるように、識別情報３６を適正に更新することが可能となる。従って、本実施形態の入力装置２は、使用者にとって、使い勝手のよい入力装置となる。
【００６２】
以上、本発明の実施形態について説明したが、本発明は上述の実施形態に限定されることなく、種々変形して実施することができる。
例えば、上記実施形態では、文字情報特定用の状態遷移図が操作位置と操作速度とで規定されているため、Ｓ１２０では、操作情報取得部２０から操作位置（ｘ、ｙ座標）と操作速度（ｘ速度、ｙ速度）を取り込むものと説明した。
【００６３】
しかし、本発明は、文字情報とは異なる各種指令を入力する入力装置にも適用できるし、操作状態として操作速度とは異なる情報（操作方向、操作加速度、操作圧力等）を利用し、入力情報を特定する入力装置にも適用できる。なお、本発明において、操作状態とは、使用者によるタッチパネルの操作状態のことであり、タッチパネルの物理的変化から所望の操作状態を検出するようにすればよい。
【００６４】
また、この場合、入力情報特定用の状態遷移図は、各入力情報の入力方式に従い生成しておけばよく、タッチパネル４から取り込む操作情報も、その状態遷移図に対応したパラメータにすればよい。
【００６５】
また、上記実施形態では、入力情報を特定するための識別情報には、状態遷移図を利用するものとして説明した。しかし、例えば、使用者が指を置いた位置からの変化方向だけで複数の指令を識別するような場合には、入力情報の特定動作も簡単になることから、必ずしも状態遷移図を使用する必要はない。
【００６６】
つまり、本発明は、タッチパネル４の操作位置、操作位置の変化（操作方向、操作速度、操作加速度）、操作圧力等に基づき、入力情報を特定する入力装置であれば、上記実施形態と同様に適用して、入力装置の使い勝手を向上できる。
【００６７】
また、上記実施形態では、入力装置２は、入出力部２２を介して外部機器に接続されるものとして説明したが、例えば、バス１６に各種機能回路が接続されて一つの装置を構成するものであってもよい。つまり、入力装置２は、各種情報処理装置の一機能として実現されるものであってもよい。
【００６８】
また、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００６９】
また、上述した入力装置の他、当該入力装置を構成要素とするシステム、当該入力装置としてコンピュータを機能させるためのプログラム、このプログラムを記録した半導体メモリ等の非遷移的実態的記録媒体、当該入力装置の動作手順である入力方法など、種々の形態で本発明を実現することもできる。
【符号の説明】
【００７０】
２…入力装置、４…タッチパネル、６…表示パネル、８…操作パネル、１０…ＣＰＵ、１２…ＲＡＭ、１４…ＲＯＭ、１６…バス、１８…表示制御部、２０…操作情報取得部、２２…入出力部、３２…制御プログラム、３４…操作画像表示情報、３６…識別情報。
【図１】
2017156851.tif 000003
【図２】
2017156851.tif 000004
【図３】
2017156851.tif 000005
【図４】
2017156851.tif 000006
【図５】
2017156851.tif 000007
【図６】
2017156851.tif 000008